(57)【要約】【課題】単純な構成で、廉価に製造でき、場所をとらず、取り扱いが簡便な美観の保護に優れた散乱防止用覆いを供すること。【解決手段】  設置手段と、網や布である布状体と、該布状体用の曲折可能な覆いとよりなる散乱防止用覆いであって、前記布状体が前記設置手段により一定の高さに掛着されることで集積物を該布状体の下に投入し易くし、前記布状体の背後上部に掛着された布状体用の曲折可能な覆いが該布状体の背面から下を通って前方に回り、更に上方に延びて掛着されることで、該布状体を覆えるようにしたことを特徴とする散乱防止用覆いを供する。【選択図】  図６
2007137534.tif 000002
【特許請求の範囲】
【請求項１】
設置手段と、網や布である布状体と、曲折可能な布状体用覆いとよりなる散乱防止用覆いであって、前記布状体と布状体用覆いが前記設置手段により一定の高さに掛着されることで集積物を該布状体の下に投入し易くすると共に、該布状体の否使用時に、前記曲折可能な布状体用覆いによって該布状体を覆えるようにしたことを特徴とする散乱防止用覆い。
【請求項２】
前記曲折可能な布状体用覆いが、前記布状体の背後上部に掛着され、該布状体の背面から下を通って前方に回り、更に上方に伸びて掛着されることで、該布状体を覆い隠すことが出来るようにしたことを特徴とする請求項１に記載した散乱防止用覆い。
【請求項３】
前記散乱防止用覆いの否使用時に、前記曲折可能な布状体用覆いが前記布状体の背後上部に掛着され、該布状体の背面から下を通って前方に回り、更に上方に伸びて掛着されることで該布状体を覆い隠し、前記散乱防止用覆いの使用時には、前記曲折可能な布状体用覆いが該布状体の背面から下を通って前方に回り、否使用時の掛着位置よりも低い位置に掛着することで使用時における前記布状体の下部を覆えるようにしたことを特徴とする請求項１か２のいずれかに記載した散乱防止用覆い。
【発明の詳細な説明】
【技術分野】
【０００１】
本発明はごみ集荷場や廃品回収等におけるごみ等、集積物の散乱を防止する散乱防止用覆いに関するものである。
【背景技術】
【０００２】
近年，都市部ではカラスが生ごみの入ったごみ袋を切り裂いて，中の残飯等を食いあさり，袋の内容物を路上等に散乱させる被害が日常化している。強固な収納庫や収納箱を用いればこれらの被害は防げるが，ごみ集荷場を路上の一角に設定しなければならないという事情がこのごみ収納庫や収納箱の設置を防げている。また，内部の見えないごみ箱の設置は，内部の汚れを放置することにつながり，悪臭等非衛生的な結果を招きやすい欠陥を持っている。そこで，カラス等鳥獣によるごみの散乱被害を食い止めるためにいくつもの発明がなされ，出願もされている。
【０００３】
【特許文献１】特許第３４９１２６２号  特許第３４９１２６２号広報に記載された発明は「ネット（１）の左右縁枠の点と、それより大きなネット（２）の左右縁枠の点をそれぞれ接合し、長さの異なる縁枠を壁に寄せながら縫合し、ネット（１）の縁枠下側の一部に棒を取り付けてゴミ集積ネットを構成、正面のふたが下方に開くそのゴミ集積ネットの収納ケースを固定柱に取り付け、そのケース上部の左右の壁には棒を差し込み、固定できる溝を設け、ケース下部にネット（１）とネット（２）が縫合されてなるネットの上部を固定、そのケースから垂らしたネット（１）の長さがケースから地面の高さより長いことを特徴とする収納ケース付ゴミ集積ネット。」（請求項１）である。
【０００４】
前記特許第３４９１２６２号広報に記載された発明は「正面の蓋が下方に開くそのゴミ集積ネットの収納ケースを固定柱に取り付け」てある「収納ケース付ゴミ集積ネット。」てある。否使用時には箱の中にネットを収納できることから美観の保護に優れるものの、収納ケースの製造には費用がかかることから、単純な構成で、廉価に製造でき、場所をとらず、取り扱いが簡便な美観の保護に優れた散乱防止用覆いが望まれる。
【発明の開示】
【発明が解決しようとする課題】
【０００５】
単純な構成で、廉価に製造でき、場所をとらず、取り扱いが簡便な美観の保護に優れた散乱防止用覆いを供すること。
【課題を解決するための手段】
【０００６】
設置手段と、網や布である布状体と、曲折可能な布状体用覆いとよりなる散乱防止用覆いであって、前記布状体と布状体用覆いが前記設置手段により一定の高さに掛着されることで集積物を該布状体の下に投入し易くすると共に、該布状体の否使用時に、前記曲折可能な布状体用覆いによって該布状体を覆えるようにしたことを特徴とする散乱防止用覆いを供する。
【０００７】
前記曲折可能な布状体用覆いが、前記布状体の背後上部に掛着され、該布状体の背面から下を通って前方に回り、更に上方に伸びて掛着されることで、該布状体を覆い隠すことが出来るようにしたことを特徴とする散乱防止用覆いを供する。
【０００８】
前記散乱防止用覆いの否使用時に、前記曲折可能な布状体用覆いが前記布状体の背後上部に掛着され、該布状体の背面から下を通って前方に回り、更に上方に伸びて掛着されることで該布状体を覆い隠し、前記散乱防止用覆いの使用時には、前記曲折可能な布状体用覆いが該布状体の背面から下を通って前方に回り、否使用時の掛着位置よりも低い位置に掛着することで使用時における前記布状体の下部を覆えるようにしたことを特徴とする散乱防止用覆いを供する。
【発明の効果】
【０００９】
設置手段と、網や布である布状体と、曲折可能な布状体用覆いとよりなる散乱防止用覆いであって、前記布状体と布状体用覆いが前記設置手段により一定の高さに掛着されることで集積物を該布状体の下に投入し易くすると共に、該布状体の否使用時に、前記曲折可能な布状体用覆いによって該布状体を覆えるようにしたことを特徴とする散乱防止用覆いであるため，次の効果を奏する。
【００１０】
網や布である布状体による散乱防止用覆いであるため、否使用時には小さくまとめることが出来じゃまにならない。該布状体の否使用時には曲折可能な布状体用覆いによって、該布状体を覆えるようにしたため、全体をすっきりと見せることが出来るため、美観の保護に有用である。
【００１１】
前記曲折可能な布状体用覆いが、前記布状体の背後上部に掛着され、該布状体の背面から下を通って前方に回り、更に上方に伸びて掛着されることで、該布状体を覆い隠すことが出来るようにしたことを特徴とする散乱防止用覆いであるため，次の効果を奏する。
【００１２】
散乱防止用覆いとしての使用時に、前記布状体用覆いの一端を取り外して前記布状体を散乱防止用覆いとして使用可能にし、散乱防止用覆いとしての否使用時には、前記布状体用覆いによって前記布状体を覆い隠す作業が、少ない動作によって容易に出来るようになる。
【００１３】
前記散乱防止用覆いの否使用時に、前記曲折可能な布状体用覆いが前記布状体の背後上部に掛着され、該布状体の背面から下を通って前方に回り、更に上方に伸びて掛着されることで該布状体を覆い隠し、前記散乱防止用覆いの使用時には、前記曲折可能な布状体用覆いが該布状体の背面から下を通って前方に回り、否使用時の掛着位置よりも低い位置に掛着することで使用時における前記布状体の下部を覆えるようにしたことを特徴とする散乱防止用覆いであるため，次の効果を奏する。
【００１４】
散乱防止用覆いとしての使用時に、前記布状体用覆いの一端を取り外して前記布状体を散乱防止用覆いとして使用可能にし、散乱防止用覆いとしての否使用時には、前記布状体用覆いによって前記布状体を覆い隠す作業が、少ない動作で容易に出来るようになると共に使用時における前記布状体の下部を覆い隠すことが出来るため、鳥獣が前記布状体を切り裂いて集積物を食い散らす被害を確実に防止できる。
【発明を実施するための最良の形態】
【００１５】
本願発明は、網や布状体である散乱防止用覆い本体の外側に、シート材等曲折可能な布状体用覆いを設けたものであり、単純な構成で、廉価に製造でき、場所をとらず、取り扱いが簡便な美観の保護に優れた散乱防止用覆いを実現したものである。以下図に基づいて具体的に述べる。
【実施例１】
【００１６】
図１は実施例１の斜視図である。散乱防止用覆いの本体である布状体１と布状体用覆い２の中央部が、設置手段３に掛着されている。本実施例における設置手段３は枠状体３１（３）とフック４１（掛着手段４）であり、該枠状体３１（３）は上部横枠３１１と側部縦枠３１２と下部横枠３１３によって構成される。布状体１はその一端を枠状体３１（３）の上部に設けたフック４１によって所定の高さに掛着される。
【００１７】
前記布状体１と布状体用覆い２の設置手段３への掛着は、布状体の裾１１をつまみ上げて該布状体１の中にゴミ袋５等の集積物を投入し易くするためであり、塀などを利用する場合であって取り付け可能であれば、設置手段はフック４１だけでもよい。布状体用覆い２は布や簾状体など曲折可能な素材で形成され、前記布状体１と同様にその一端を所定の高さに掛着し、前記布状体１の否使用時に該布状体１を覆い隠せるように配置する。
【００１８】
本図では、布状体用覆い２を長手方向中央部で折り、該折り目の内側を縫合することで筒状体２１構成する。該縫合によって生じた筒状体２１に枠状体３１の上部横枠３１１を通して保持し、布状体1の前後に分かれて該布状体１を包むように配されている。布状体用覆い２の裾部２２の端部に接合手段２３として平面ファスナー２３1（登録商標マジックテープ等）やフック等を設け、否使用時には向かい合う前後の布状体用覆い２の裾部２２どおしを接合して保持させる。枠状体３１の側部縦枠３１２には突起部４２を設けることで、布状体用覆い２が風にあおられて枠状体３１からずれてしまうこと防ぐ。裾部２２の端に紐やフックを設けて枠状体３１に掛着してもよい。
【実施例２】
【００１９】
図２は実施例２の斜視図である。本実施例は曲折可能な布状体用覆い２が、前記布状体１の背後上部に掛着され、該布状体１の背面から下を通って前方に回り、更に上方に伸びて掛着されることで、該布状体１を布状体用覆い２によって覆い隠すことが出来るようにしたものである。本図では、立設可能な門状体３２を設置手段とし、該設置手段は上部横枠３２１（３２）と脚部３２２（３２）より成り、左右２本の脚部３２２（３２）をその下部において連結部３２３によって連結されている。
【００２０】
布状体用覆い２は両端が折り返されて縫製され、筒状体Ｂ２１１と筒状体Ｃ２１２を形成する。一方の端部である筒状体Ｂ２１１に上部横枠３２１（３２）を通して接合し、他の一方の端部である筒状体Ｃ２１２には掛着手段である掛着棒２４が挿入されて接合される。該掛着棒２４の付いた端部である筒状体Ｃ２１２は下に垂れ下がり、前記連結部３２３の下を通って手前に伸びる。布状体１の一端が、掛着手段４に掛着されている点、該掛着手段４が門状体３２の上部に設けたフック４１である点、布状体の裾１１をつまみ上げて該布状体１の中に集積物を投入し易くした点は実施例１と同様である。否使用時には布状体１の裾１１をまとめて布状体用覆い２の上に載せ、該掛着棒２４の付いた布状体用覆い２の端部を引き上げてフック４１に掛着する。
【００２１】
図３は実施例２の収納状態を表す斜視図である。布状体１は布状体用覆い２によって表裏共に覆われ、すっきりとした形態を示し、美観の保護に効果的である。布状体用覆い２は背面上部が上部横枠３２１（３２）に掛着され、下に下がって背面を覆い、連結部３２３の下を通って上に上がり、掛着棒２４がフック４１に係止されて布状体１を覆おう。布状体用覆い２が現状下端において連結部３２３に掛着した形となることから、左右の揺れを押さえられて、風にあおられ形態を乱すことがない。脚部３２２（３２）の下端３２２１は路面や床に穴をあけて挿入することや固定手段を用いることで、設置場所である路面や床に固定される。
【実施例３】
【００２２】
図４は実施例３の斜視図である。本実施例では、枠状体３１の両側面に枠状体Ｂ３３と枠状体Ｃ３４を設け、俯瞰した状態がコの字型を呈するように連結手段６によって連結する。枠状体３１と枠状体Ｂ３３、並びに枠状体３１と枠状体Ｃ３４は位置関係固定部３６によって開き角度を固定される。枠状体Ｂ３３と枠状体Ｃ３４の間に布状体Ｂ１０を配する。該布状体Ｂ１０は蚊帳型の立体に縫製され、上部四隅をフック４１に掛着する。該布状体Ｂ１０上部に投入口１２を設け、上下に開口させる。布状体用覆い２は両端が折り返されて縫製され、筒状体Ｂ２１１と筒状体Ｃ２１２を形成する。一方の端部である筒状体Ｂ２１１に枠状体３１の上部横枠３１１（３１）を通して接合し、他の一方の端部である筒状体Ｃ２１２には掛着手段である掛着棒２４が挿入されて接合される。
【００２３】
該掛着棒２４の付いた端部である筒状体Ｃ２１２は下に垂れ下がり、布状体Ｂ１０の背面を覆い、下部開口部１３の下を通って前方に進み、前記掛着棒２４を枠状体Ｂ３３と枠状体Ｃ３４に設けたフックＢ４１１に掛着する。枠状体Ｂ３３と枠状体Ｃ３４の下部には布状体用覆いＢ２０（２）を設ける。以上により、立体的に縫製された布状体Ｂ１０の下部開口部１３は塞がれ、且つ、該布状体Ｂ１０の側面下部はその四方を布状体用覆い２によって覆われ、鳥獣の侵入を完全に阻止する。投入口から投入されたゴミ袋５等の集積物の回収に当たっては前記掛着棒２４をフックＢ４１１からはずし、布状体Ｂ１０の裾部を手前に引き出すと集積されたゴミ袋５等は手前に滑り出す。使用後に本散乱防止用覆いを収納するには枠状体Ｂ３３と枠状体Ｃ３４内側に向かってすなわち矢印方向に向かって折り畳み、掛着棒２４をフックＣ４１２に掛着する。
【００２４】
図５は実施例３の収納状態を示す斜視図である。図４における枠状体Ｂ３３と枠状体Ｃ３４を矢印の方向に折り畳むとそれぞれの上部に外向きに設けられていたフックＣ４１２が手前方向に向かって突起する。該折り畳みの操作により布状体Ｂ１０も同時に折り畳まれる。前記掛着棒２４を引き上げて、枠状体Ｂ３３と枠状体Ｃ３４に掛着された布状体Ｂ１０を前記枠状体Ｂ３３と枠状体Ｃ３４と共に布状体用覆い２によって包み込む。前記掛着棒２４をフックＣ４１２に掛着すると布状体Ｂ１０は布状体用覆い２によって覆われ、すっきりとした形態を示す。前記枠状体Ｂ３３と枠状体Ｃ３４の折り畳みに伴って当該枠状体がせり上がるように構成され、布状体用覆い２が全体の重量によって押しつぶされることを防ぐ。
【００２５】
図６は実施例３の作用図であり、背面の枠状体３１（３）と側面の枠状体Ｂ３３（３）を抜き出し、連結手段６と枠状体３との関係・作用を示したものである。図Ａは立体的に縫製された布状体Ｂ１０を使用できるように枠状体Ｂ３３を開いた状態を示し、図Ｂは否使用時に枠状体Ｂ３３を閉じた状態を示している。
背面の枠状体３１（３）の側部縦枠３１２から二つの腕部６３である上の腕部６３１と下の腕部６３２が手前方向に突出する。該それぞれの腕部６３には上の連結手段６１（６）と下の連結手段６２（６）が設けられており、該二つの連結手段６は共通の中心軸を有して上下に並んでいる。該二つの連結手段６は、連結して一つの筒状体にしても効果は変らない。該連結手段６には枠状体Ｂ３３の縦枠３３１が挿嵌され回動可能に配される。
【００２６】
該縦枠３３１には位置固定用の上のピン６４1（６４）と下のピン６４２（６４）が前記二つの連結手段を挟んで設けられる。上の連結手段６１（６）の上部は大きく波打って山状部６１１と谷状部６１３が形成され、山状部６１１の先端には小さな凹部６１２が構成される。下の連結手段６２（６）は前記上の連結手段６１（６）と同型のものを天地逆に配したものであって、前記谷状部６１３の下には下に向かった山状部６２１が形成され、前記山状部６１１の下には上に向かった谷状部６２３を形成し、前記山状部６２１の先端は上向きの凹部６２２を構成する。
【００２７】
図Ａの枠状体Ｂ３３が開いた状態において、上のピン６４1（６４）が前記谷状部６１３の底部に位置し下のピン６４２（６４）が下に向かった山状部の６２１の先端に位置し、凹部６２２に嵌合して前記縦枠３３１を下に向かって押さえつけると同時に枠状体３３の開き角とその位置を位置を決定する。使用時には枠状体３３を内側に向かって引き込もうとする力が働くことから前記図４における位置関係固定部３６によってこれを固定する。図Ｂの枠状体Ｂ３３が閉じた状態において、上のピン６４1（６４）は前記凹部６１２に嵌合して枠状体Ｂ３３を支え上げる。布状体用覆い２は枠状体Ｂ３３の下を通り、前記掛着棒２４をフックＣ４１２に掛着して収納することから、枠状体Ｂ３３の重量が布状体用覆い２にかからず、これを痛めることがない。
【実施例４】
【００２８】
図７は実施例４の斜視図である。本実施例は実施例３における背面の枠状体３１（３）の上部横枠３１１（３１）にもう一つの枠状体である枠状体Ｄ３５の本図奥の横枠３５１（３５）を揺動可能に連結し、図４においては背面に位置した布状体用覆い２を上に延長してその端部の筒状体Ｂ２１１（２１）を枠状体Ｄ３５の本図手前横枠３５２（３５）に掛着し、屋根部７を形成したものである。枠状体Ｄ３５の縦枠３５３（３５）は屋根部支持体７１を設けて枠状体Ｄ３５を支え上げる。本実施例の否使用時には、その下部が実施例３の図５の様に折り畳まれ、屋根部支持体７１がはずされ、枠状体Ｄ３５と布状体用覆い２による屋根部が下に向かって折り畳まれ、収納される。屋根部支持体７１は枠状体Ｃ３４の２点と結合され、上に向かって延長され、枠状体Ｄ３５に結合されることから、枠状体Ｃ３４と枠状体３１の開き角を固定する。よって、屋根部支持体７１は屋根部を支え上げるだけでなく枠状体Ｃと枠状体Ｄの位置関係を固定し、全体のガタツキをなくす。
【図面の簡単な説明】
【００２９】
【図１】実施例１の斜視図である。
【図２】実施例２の斜視図である。
【図３】実施例２の収納状態を表す斜視図である。
【図４】実施例３の斜視図である。
【図５】実施例３の収納状態を示す斜視図である。
【図６】実施例３の作用図である。
【図７】実施例４の斜視図である。
【符号の説明】
【００３０】
1  布状体
１０  布状体Ｂ
１１  布状体の裾
１２  投入口
１３  下部開口部
２  布状体用覆い
２０  布状体用覆いＢ
２１  筒状体
２１１  筒状体Ｂ
２１２  筒状体Ｃ
２２  布状体用覆いの裾部
２３  接合手段
２３１  平面ファスナー
２４  掛着棒
３  設置手段
３１  枠状体
３１１  枠状体の上部横枠
３１２  枠状体の側部縦枠
３１３  枠状体の下部横枠
３２  門状体
３２１  門状体の上部横枠
３２２  門状体の脚部
３２２１  脚部の下端
３２３  連結部
３３  枠状体Ｂ
３３１  縦枠
３４  枠状体Ｃ
３５  枠状体Ｄ
３５１  奥の横枠
３５２  手前横枠（
３５３  枠状体Ｄの縦枠
３６  位置関係固定部
４  掛着手段
４１  フック
４１１  フックＢ
４１２  フックＣ
４２  突起部
５  ゴミ袋
６  連結手段
６１  上の連結手段
６１１  山状部
６１２  凹部
６１３  谷状部
６２  下の連結手段
６２１  下に向かった山状部
６２２  上向きの凹部
６２３  上に向かった谷状部
６３  腕部
６３１  上の腕部
６３２  下の腕部
６４  ピン
６４１  上のピン
６４２  下のピン
７  屋根部
７１  屋根部支持体
【図１】
2007137534.tif 000003
【図２】
2007137534.tif 000004
【図３】
2007137534.tif 000005
【図４】
2007137534.tif 000006
【図５】
2007137534.tif 000007
【図６】
2007137534.tif 000008
【図７】
2007137534.tif 000009